(57)【要約】      （修正有）【課題】特別な製造方法をとることなくコンパクトなケースにボトル、プレスウェットティッシュを一体に収納させ、携帯に便利でなおかつ長期保存を可能とし、あらゆる場所で便利に役立ち、遊び感覚と実用性を共に有し、クリーニング用品として携帯可能とした、携帯プレスウェットティッシュキットの提供。【解決手段】厚さ１０〜１５ｍｍ直径２０ｍｍ程度に圧縮された円柱型のティッシュと、圧縮されたティッシュを元に戻すだけの水分を保有することが出来るプラスチックボトル１本をコンパクトなケースに入れることにより、携帯に便利でいつでもどこでも、水のない場所でもクリーニング用品として、その場ですぐ使用可能とした。【選択図】図１
0003110587.tif 000002
【実用新案登録請求の範囲】
【請求項１】
コンパクトで薄型のケースに小さく圧縮されたティッシュと、それを元に戻すだけの水分を保有することができるプラスチックボトルを収納し、携帯に便利でいつでもどこでも、水のない場所でもクリーニング用品として、その場ですぐ役立つことができることを特徴とする携帯プレスウェットティッシュキット。
【考案の詳細な説明】
【技術分野】
【０００１】本考案は、手のひらサイズでコンパクト。ウェットティッシュやウェットタオルとして、使用することが出来るに上に携帯時には、ドライで小さく円柱形に圧縮され、いつでもどこでも手軽に持ち運べる。水ボトルは、小さくすることで携帯に便利で、圧縮ティッシュとセット可能となった。このボトル１本分の水分で圧縮されたティッシュを元のサイズに戻すことができ、ウェット感も程良い感触を得ることができる。また、水だけではなく使用者の好みに応じてボトルに入れる際、香水等を少量加え、使用時にオリジナルの香りを楽しむことができる。ケースには、名入れ可能で、低コストなので販促品としても価値が高い。ボトルに水などを補充しておくことで、水のない場所でもすぐにクリーニング用品として使うことができる、携帯プレスウェットティッシュキット。
【背景技術】
【０００２】これまでプレス商品といえば、タオルやＴシャツがほとんどであり使い捨て携帯品としてではなく、形の面白さだけを特徴としたものであった。携帯はできても単体で携帯するだけで、元に戻すだけの水ボトルがなかったため、実用性にかけていた。また、携帯ウェットティッシュでは形の面白さや使用時のティッシュの動きの楽しさはなく、オリジナルの香りも楽しむことはできなかった。さらに、使いかけのティッシュを長期間、保管するとウェット感がなくなり、もとよりつけられていた香りや薬品効果が薄れてしまった。多様化、多目的を要する現代社会において、小さくコンパクトで使用用途が広く、保管に便利で携帯することにより、あらゆる場所で楽しく便利に役立つクリーニング用品が必要であった。
【考案の開示】
【考案が解決しようとする課題】
【０００３】これまで外で手や顔を拭いたり、物をクリーニングする時、タオルやティッシュをもって行かなければならず、タオルであれば少し大きすぎて携帯に不便であり、ティッシュであればウェット感がなく、クリーニングには不向きであり、ウェットティッシュは長い間、保管したものでは不安が残るため、買い直さなければならなかった。また、プレスタオルは、携帯には便利だがそのままでは使用困難であり専用の水ボトルがないため、必要な場所で水を探さなければならないという課題があった。特に、圧縮された商品においては元に戻すことのできる水分が必要であり、それをボトルに入れ付属品としてセットすることは難しく、セットした場合大きなキットとなり携帯にも不便となり、実用化が困難であった。【０００４】これらをセットする場合、ボトルには元に戻すだけの適量な水分が必要であり、多過ぎれば水を切らねばならず、少なければ完全に元に戻らず適正な形にはならないため、容易に元に戻すことが困難であり、戻す際、人のカンによるという課題があった。【０００５】本考案は、前記のような問題を解消して、特別な製造方法をとることなくコンパクトなケースにボトル、プレスウェットティッシュを一体に収納させ、携帯に便利でなおかつ長期保存を可能とし、あらゆる場所で便利に役立ち、遊び感覚と実用性を共に有し、クリーニング用品として携帯可能とした、携帯プレスウェットティッシュキットの提供にある。
【課題を解決するための手段】
【０００６】本考案の携帯プレスウェットティッシュキットは、最低必要なクリーニング用品を一体に備えただけではなく、コンパクトなケースに収納できるように各々に工夫を凝らし、携帯に便利で実用品として充分配慮したものである。【０００７】即ち、この携帯プレスウェットティッシュキットは、厚さ１０〜１５ｍｍ直径２０ｍｍ程度に圧縮された円柱型のティッシュと、圧縮されたティッシュを元に戻すだけの水分を保有することが出来るプラスチックボトル１本をコンパクトなケースに入れることにより、携帯に便利でいつでもどこでも、水のない場所でもクリーニング用品として、その場ですぐ使用可能としたことを特徴とするものである。
【考案の課題】
【０００８】本考案は、以上の説明から明らかなように、特別な製造方法を取ることなく簡単に製作でき、使用者は使用目的に応じてこれを携帯し、旅行、レジャー、スポーツでは、タオルとして汗を拭いたり、食事時のハンドクリーニング用に、女性の化粧用ティッシュやウェットティッシュとしても使用できる。ケースはコンパクトで薄型、その上、透明感があるためオシャレでスマートな感じがある。また、ローコストで名入れ可能なため、販促品としても使用することが出来る実用的価値に優れたものである。
【考案を実施するための最良の形態】
【０００９】次に、本考案の好ましい実施を図面を参考にして詳細に説明する。〔図１〕１は、プレスウェットティッシュやボトルを入れるケースであるが、中が見えることによりクリーンかつスマートな感じが出せるため、透明ビニールを使用することが望ましい。全体をほぼ８ｃｍから１０ｃｍ角のサイズとし、コンパクトなケースを作り、上部に２のプラスチックファスナーを取り付け、３のプレスウェットティッシュ６個と４のプラスチックボトル（容積６ｃｃ）１本を入れるのに都合の良いサイズとする。もちろん、ケースの材質は、必要に応じて布、紙、革、プラスチック等使用可能で、サイズも同様に入れる数量やボリュームにより変更しても差し支えない。【００１０】５は、表裏とも名入れスペースとして有効で直接、ビニール本体にタイトルやロゴ入れが容易に行える上、ケースが透明であるため、内側から紙等も差し込め写真やイラストが容易にアピールできることも特徴の一つである。【００１１】〔図２〕６は、ケースに入れるため、圧縮されたティッシュは、紙パルプまたはレーヨンから造られた物を使用し、広げると約２４ｃｍ×２４ｃｍのサイズとなり圧縮の際、３つに折畳んでロール状に丸め圧縮した時、直径２０ｍｍ厚さ１０〜１５ｍｍにすることによりコンパクトなケースに入れることができるようにしたことを特徴とするものである。【００１２】また、圧縮の際、プレス型をオリジナルで作ることができるので、〔図２〕７のように柄や会社のロゴマークなどを入れられることも特徴の一つである。【００１３】水を入れるためのボトルは、携帯するため割れにくい素材を使う必要があるので、一般プラスチック材及び軟質ポリプロピレンやビニールを使用し、透明または半透明で口は水が入れやすく、また出しやすい６ｃｃの容積で底直径１５ｍｍ高さ５５〜６０ｍｍのサイズが好ましく、これによりコンパクトなケースにプレスウェットティッシュと一緒に入れることができるようになったことを特徴としたものである。【００１４】また、水が確保が出来る場所へ携帯するときは、〔図４〕のように同じケースにボトルを抜いてプレスウェットティッシュを９個入れることもできるため、数人分のクリーニング用品としても活用することができる。この携帯プレスウェットティッシュの最大の特徴を出すためには、前項に挙げたケースの材質及びサイズ、プレスウェットティッシュの形とサイズ加えて、ボトル容積とサイズが重要であり、このことがドライなプレスウェットティッシュを、携帯時において実用的に使用可能とさせ、スマートに携帯、そして容易にハンドリングできることにある。【００１５】大量に使用、または補給用に使用の場合には〔図５〕１１のようにボックスに５０〜１００個程度入れて、家庭やオフィス内に置いておくことができる。【００１６】このように構成かつセットされた本考案の携帯プレスウェットティッシュキットは、コンパクトでありながらいつでもどこでも、クリーニング用品として有効かつ実用的なものである。
【実施例】
【００１７】次に、〔図１〕のような状態にした時にどのように収まり、携帯するのにどの程度持ちやすいかを試してみた。透明ビニールケースはワイド８０ｍｍ天地８７ｍｍとし、〔図２〕６のプレスウェットティッシュは、直径２０ｍｍ高さ１３ｍｍのもの６個を用意し、〔図３〕のボトルは容積６ｃｃ直径１５ｍｍ高さ５８ｍｍのもの１本を用意して、このケースに入れてみた。手に持つと、ちょうど手のひらに収まり持ちやすかった。厚みも１４〜１６ｍｍ程度でとても軽量であった。次にポケットに入れてみたが、違和感なく入れられた。セカンドバッグにも入れてみたが、薄く軽量のため簡単に入れられ、取り出しもスムーズであった。実際、このキットを手にしてみると、軽さと薄さが大きな特徴であることに気づく。透明ビニールを使用しているので、ティッシュの数量が一目でわかり、ボトルの水の有る無しもすぐにわかるので使い易いことがわかった。【００１８】〔図１〕５のように、名入れや広告を意識してケースの中に６０×６０ｍｍのカラー写真を入れてみた。若干、折り曲げた状態で入れるとスムーズに入った。カラー写真が透明ケースの内側より鮮明に透けて見えた。プレスウェットティッシュの型押しされた部分の面の裏側に、紙を差し込むことにより広告効果が高く感じられた。【００１９】次に、ボトルを取り出し水を入れてみることにした。ケースのファスナーを開けボトルを取り出すのに４〜５秒、キャップを外し水を入れるまで７〜１０秒かかったが、簡単に水を入れることができた。試しに香水を１滴この中に入れてみたら、オリジナル香水液ができた。【００２０】〔図６〕のように、この水を手のひらにのせたプレスウェットティッシュ１個に表、裏、横とまんべんなく水をたらし、ボトル１本分の水をすべて吸わせた。すると１３ｍｍ厚のティッシュが徐々に延びて５０〜６０ｍｍのサイズに変化してきた。それを手で少し延ばしながらロールを開くと、程よいウェット感のある２４０ｍｍ角のウェットティッシュとなった。これで手を吹いてみると、手の汚れはきれいに拭取れた。手には、水滴は残らなかった。同様に香水液で試してみた。ほのかな香りが得られ、個々の女性の好むオリジナルウェットティッシュを作る楽しみができた。【００２１】また、〔図４〕のようにボトル１本を抜いて、ケースにティッシュを９個入れることができた。サイズ的にすき間が出来ず、ボトルを入れた時よりもさらに薄くすることができた。見た目も持ち易さもスマートで清潔感があった。【００２２】最後に保存用、補給用として８５×１０５×４０ｍｍの箱〔図５〕を作り、このティッシュを６０個入れてみたらちょうどよく収まり、保存用／補給用としてもコンパクトな箱となり、邪魔にならないサイズであることが実証できた。
【産業上の利用可能性】
【００２３】本考案は、携帯用としていつでもどこでも、水のないところでも必要に応じてクリーニング用品として活用できる携帯プレスウェットティッシュキットに関するものである。
【図面の簡単な説明】
【００２４】
【図１】本考案の携帯時における状態を示す正面図
【図２】ティッシュを圧縮（プレス）させた状態を示す説明図
【図３】本考案のボトルキャップの構造を示す説明図
【図４】本考案の携帯時の方法を示す概略図
【図５】本考案の保存や補給用として、箱に入れた状態を示す斜視図
【図６】本考案の実施の形態を示す説明図
【符号の説明】
【００２５】１透明ビニールまたは布、紙、革、プラスチック、ポリエチレン
２ファスナー
３プレスウェットティッシュ
４プラスチックボトル
５名入れスペース及び説明書／広告紙差し込みスペース
６プレスされたティッシュ
７型押しされたティッシュ
８ボトルのキャップ
９ボトル口
１０ボトル用のノズル
１１箱
【図１】
0003110587.tif 000003
【図２】
0003110587.tif 000004
【図３】
0003110587.tif 000005
【図４】
0003110587.tif 000006
【図５】
0003110587.tif 000007
【図６】
0003110587.tif 000008